(57)【特許請求の範囲】
【請求項１】
アクティブ系空調機器およびパッシブ系空調機器とともに用いられる機器制御装置であって、
前記アクティブ系空調機器の動作に関する第１の動作情報および前記パッシブ系空調機器の動作に関する第２の動作情報の組み合わせと前記パッシブ系空調機器の制御内容とを対応付けて記憶する記憶部と、
前記アクティブ系空調機器の現在の動作に関する前記第１の動作情報が入力される入力部と、
前記入力部に入力された前記第１の動作情報および前記パッシブ系空調機器の現在の動作に関する前記第２の動作情報の組み合わせに対応付けられて前記記憶部に記憶されている前記制御内容に従って前記パッシブ系空調機器を制御する機器制御部と
を備え、
前記記憶部は、前記第１の動作情報が前記アクティブ系空調機器の動作開始であり、前記第２の動作情報が前記パッシブ系空調機器の動作中である場合に、前記制御内容として、空調対象空間の室温と当該空調対象空間外の外気温との温度差の絶対値が第１のしきい値以下であるときに、前記パッシブ系空調機器の動作を停止させる制御を記憶している
ことを特徴とする機器制御装置。
【請求項２】
アクティブ系空調機器およびパッシブ系空調機器とともに用いられる機器制御装置であって、
前記アクティブ系空調機器の動作に関する第１の動作情報および前記パッシブ系空調機器の動作に関する第２の動作情報の組み合わせと前記パッシブ系空調機器の制御内容とを対応付けて記憶する記憶部と、
前記アクティブ系空調機器の現在の動作に関する前記第１の動作情報が入力される入力部と、
前記入力部に入力された前記第１の動作情報および前記パッシブ系空調機器の現在の動作に関する前記第２の動作情報の組み合わせに対応付けられて前記記憶部に記憶されている前記制御内容に従って前記パッシブ系空調機器を制御する機器制御部と
を備え、
前記記憶部は、前記第１の動作情報が前記アクティブ系空調機器の動作中であり、前記第２の動作情報が前記パッシブ系空調機器の動作停止中である場合に、前記制御内容として、前記パッシブ系空調機器の動作開始要求が行われた際、前記アクティブ系空調機器が動作を停止した後に、前記パッシブ系空調機器の動作を開始させる制御を記憶している
ことを特徴とする機器制御装置。
【請求項３】
アクティブ系空調機器およびパッシブ系空調機器とともに用いられる機器制御装置であって、
前記アクティブ系空調機器の動作に関する第１の動作情報および前記パッシブ系空調機器の動作に関する第２の動作情報の組み合わせと前記パッシブ系空調機器の制御内容とを対応付けて記憶する記憶部と、
前記アクティブ系空調機器の現在の動作に関する前記第１の動作情報が入力される入力部と、
前記入力部に入力された前記第１の動作情報および前記パッシブ系空調機器の現在の動作に関する前記第２の動作情報の組み合わせに対応付けられて前記記憶部に記憶されている前記制御内容に従って前記パッシブ系空調機器を制御する機器制御部と
を備え、
前記記憶部は、前記第１の動作情報が前記アクティブ系空調機器の動作停止であり、前記第２の動作情報が前記パッシブ系空調機器の動作停止中である場合に、前記制御内容として、
前記アクティブ系空調機器が動作停止直前に冷房運転を行っていた場合には、空調対象空間の室温から当該空調対象空間外の外気温を引いた値が第２のしきい値以上であるときに、前記パッシブ系空調機器の動作を開始させ、
前記アクティブ系空調機器が動作停止直前に暖房運転を行っていた場合には、前記空調対象空間外の外気温から前記空調対象空間の室温を引いた値が前記第２のしきい値以上であるときに、前記パッシブ系空調機器の動作を開始させる制御を記憶している
ことを特徴とする機器制御装置。
【請求項４】
請求項１〜３のいずれか１項に記載の機器制御装置と、
前記機器制御装置に従って動作するパッシブ系空調機器と
を備えることを特徴とする空調設備。
【請求項５】
コンピュータを、
アクティブ系空調機器の動作に関する第１の動作情報およびパッシブ系空調機器の動作に関する第２の動作情報の組み合わせと前記パッシブ系空調機器の制御内容とを対応付けて記憶する記憶部、
前記アクティブ系空調機器の現在の動作に関する前記第１の動作情報が入力される入力部、および、
前記入力部に入力された前記第１の動作情報および前記パッシブ系空調機器の現在の動作に関する前記第２の動作情報の組み合わせに対応付けられて前記記憶部に記憶されている前記制御内容に従って前記パッシブ系空調機器を制御する機器制御部
として機能させ、
前記記憶部は、前記第１の動作情報が前記アクティブ系空調機器の動作開始であり、前記第２の動作情報が前記パッシブ系空調機器の動作中である場合に、前記制御内容として、空調対象空間の室温と当該空調対象空間外の外気温との温度差の絶対値が第１のしきい値以下であるときに、前記パッシブ系空調機器の動作を停止させる制御を記憶している
プログラム。
【請求項６】
コンピュータを、
アクティブ系空調機器の動作に関する第１の動作情報およびパッシブ系空調機器の動作に関する第２の動作情報の組み合わせと前記パッシブ系空調機器の制御内容とを対応付けて記憶する記憶部、
前記アクティブ系空調機器の現在の動作に関する前記第１の動作情報が入力される入力部、および、
前記入力部に入力された前記第１の動作情報および前記パッシブ系空調機器の現在の動作に関する前記第２の動作情報の組み合わせに対応付けられて前記記憶部に記憶されている前記制御内容に従って前記パッシブ系空調機器を制御する機器制御部
として機能させ、
前記記憶部は、前記第１の動作情報が前記アクティブ系空調機器の動作中であり、前記第２の動作情報が前記パッシブ系空調機器の動作停止中である場合に、前記制御内容として、前記パッシブ系空調機器の動作開始要求が行われた際、前記アクティブ系空調機器が動作を停止した後に、前記パッシブ系空調機器の動作を開始させる制御を記憶している
プログラム。
【請求項７】
コンピュータを、
アクティブ系空調機器の動作に関する第１の動作情報およびパッシブ系空調機器の動作に関する第２の動作情報の組み合わせと前記パッシブ系空調機器の制御内容とを対応付けて記憶する記憶部、
前記アクティブ系空調機器の現在の動作に関する前記第１の動作情報が入力される入力部、および、
前記入力部に入力された前記第１の動作情報および前記パッシブ系空調機器の現在の動作に関する前記第２の動作情報の組み合わせに対応付けられて前記記憶部に記憶されている前記制御内容に従って前記パッシブ系空調機器を制御する機器制御部
として機能させ、
前記記憶部は、前記第１の動作情報が前記アクティブ系空調機器の動作停止であり、前記第２の動作情報が前記パッシブ系空調機器の動作停止中である場合に、前記制御内容として、
前記アクティブ系空調機器が動作停止直前に冷房運転を行っていた場合には、空調対象空間の室温から当該空調対象空間外の外気温を引いた値が第２のしきい値以上であるときに、前記パッシブ系空調機器の動作を開始させ、
前記アクティブ系空調機器が動作停止直前に暖房運転を行っていた場合には、前記空調対象空間外の外気温から前記空調対象空間の室温を引いた値が前記第２のしきい値以上であるときに、前記パッシブ系空調機器の動作を開始させる制御を記憶している
プログラム。
【発明の詳細な説明】
【技術分野】
【０００１】
本発明は、アクティブ系空調機器およびパッシブ系空調機器とともに用いられて上記パッシブ系空調機器を制御する機器制御装置、空調設備およびプログラムに関する。
【背景技術】
【０００２】
従来から、床下や屋根裏の空気を利用した空調が知られている（例えば特許文献１参照）。特許文献１に記載されたシステムは、床下や屋根裏の空気をファンによって部屋に吹き出している。夏には床下から居室へ冷気を吹き出し、冬には屋根裏から部屋へ暖気を吹き出している。
【先行技術文献】
【特許文献】
【０００３】
【特許文献１】特開２００３−１８５２０７号公報
【発明の概要】
【発明が解決しようとする課題】
【０００４】
しかしながら、特許文献１に記載された従来のシステムは、部屋にエアコンが設置されている場合、エアコンの動作とは無関係に床下または屋根裏から部屋へ空気を吹き出すことになる。例えば、エアコンによって部屋の空気が冷やされているのに、部屋の空気よりも暖かい空気が床下から部屋へ取り入れられてしまう。このため、エアコンの動作効率が悪くなり、その結果、エアコンの消費エネルギーが大きくなることがあった。
【０００５】
本発明は上記の点に鑑みて為された発明であり、本発明の目的は、パッシブ系空調機器の動作をアクティブ系空調機器の動作と連携させることにより省エネルギー化を図ることができる機器制御装置、空調設備およびプログラムを提供することにある。
【課題を解決するための手段】
【０００６】
本発明の機器制御装置は、アクティブ系空調機器およびパッシブ系空調機器とともに用いられる機器制御装置であって、前記アクティブ系空調機器の動作に関する第１の動作情報および前記パッシブ系空調機器の動作に関する第２の動作情報の組み合わせと前記パッシブ系空調機器の制御内容とを対応付けて記憶する記憶部と、前記アクティブ系空調機器の現在の動作に関する前記第１の動作情報が入力される入力部と、前記入力部に入力された前記第１の動作情報および前記パッシブ系空調機器の現在の動作に関する前記第２の動作情報の組み合わせに対応付けられて前記記憶部に記憶されている前記制御内容に従って前記パッシブ系空調機器を制御する機器制御部とを備え、前記記憶部は、前記第１の動作情報が前記アクティブ系空調機器の動作開始であり、前記第２の動作情報が前記パッシブ系空調機器の動作中である場合に、前記制御内容として、空調対象空間の室温と当該空調対象空間外の外気温との温度差の絶対値が第１のしきい値以下であるときに、前記パッシブ系空調機器の動作を停止させる制御を記憶していることを特徴とする。
【０００７】
この機器制御装置において、前記記憶部は、前記第１の動作情報が前記アクティブ系空調機器の動作中であり、前記第２の動作情報が前記パッシブ系空調機器の動作停止中である場合に、前記制御内容として、前記パッシブ系空調機器の動作開始要求が行われた際、前記アクティブ系空調機器が動作を停止した後に、前記パッシブ系空調機器の動作を開始させる制御を記憶していることが好ましい。
【０００８】
この機器制御装置において、前記記憶部は、前記第１の動作情報が前記アクティブ系空調機器の動作停止であり、前記第２の動作情報が前記パッシブ系空調機器の動作停止中である場合に、前記制御内容として、前記アクティブ系空調機器が動作停止直前に冷房運転を行っていた場合には、前記空調対象空間の室温から当該空調対象空間外の外気温を引いた値が第２のしきい値以上であるときに、前記パッシブ系空調機器の動作を開始させ、前記アクティブ系空調機器が動作停止直前に暖房運転を行っていた場合には、前記空調対象空間外の外気温から前記空調対象空間の室温を引いた値が前記第２のしきい値以上であるときに、前記パッシブ系空調機器の動作を開始させる制御を記憶していることが好ましい。
【０００９】
本発明の機器制御装置は、アクティブ系空調機器およびパッシブ系空調機器とともに用いられる機器制御装置であって、前記アクティブ系空調機器の動作に関する第１の動作情報および前記パッシブ系空調機器の動作に関する第２の動作情報の組み合わせと前記パッシブ系空調機器の制御内容とを対応付けて記憶する記憶部と、前記アクティブ系空調機器の現在の動作に関する前記第１の動作情報が入力される入力部と、前記入力部に入力された前記第１の動作情報および前記パッシブ系空調機器の現在の動作に関する前記第２の動作情報の組み合わせに対応付けられて前記記憶部に記憶されている前記制御内容に従って前記パッシブ系空調機器を制御する機器制御部とを備え、前記記憶部は、前記第１の動作情報が前記アクティブ系空調機器の動作中であり、前記第２の動作情報が前記パッシブ系空調機器の動作停止中である場合に、前記制御内容として、前記パッシブ系空調機器の動作開始要求が行われた際、前記アクティブ系空調機器が動作を停止した後に、前記パッシブ系空調機器の動作を開始させる制御を記憶していることを特徴とする。
【００１０】
本発明の機器制御装置は、アクティブ系空調機器およびパッシブ系空調機器とともに用いられる機器制御装置であって、前記アクティブ系空調機器の動作に関する第１の動作情報および前記パッシブ系空調機器の動作に関する第２の動作情報の組み合わせと前記パッシブ系空調機器の制御内容とを対応付けて記憶する記憶部と、前記アクティブ系空調機器の現在の動作に関する前記第１の動作情報が入力される入力部と、前記入力部に入力された前記第１の動作情報および前記パッシブ系空調機器の現在の動作に関する前記第２の動作情報の組み合わせに対応付けられて前記記憶部に記憶されている前記制御内容に従って前記パッシブ系空調機器を制御する機器制御部とを備え、前記記憶部は、前記第１の動作情報が前記アクティブ系空調機器の動作停止であり、前記第２の動作情報が前記パッシブ系空調機器の動作停止中である場合に、前記制御内容として、前記アクティブ系空調機器が動作停止直前に冷房運転を行っていた場合には、空調対象空間の室温から当該空調対象空間外の外気温を引いた値が第２のしきい値以上であるときに、前記パッシブ系空調機器の動作を開始させ、前記アクティブ系空調機器が動作停止直前に暖房運転を行っていた場合には、前記空調対象空間外の外気温から前記空調対象空間の室温を引いた値が前記第２のしきい値以上であるときに、前記パッシブ系空調機器の動作を開始させる制御を記憶していることを特徴とする。
この機器制御装置において、前記記憶部は、前記第１の動作情報が前記アクティブ系空調機器の動作開始であり、前記第２の動作情報が前記パッシブ系空調機器の動作中である場合に、前記制御内容として、前記パッシブ系空調機器の運転を停止させる制御を記憶していることが好ましい。
【００１１】
本発明の空調設備は、前記機器制御装置と、前記機器制御装置に従って動作するパッシブ系空調機器とを備えることを特徴とする。
【００１２】
本発明のプログラムは、コンピュータを、アクティブ系空調機器の動作に関する第１の動作情報およびパッシブ系空調機器の動作に関する第２の動作情報の組み合わせと前記パッシブ系空調機器の制御内容とを対応付けて記憶する記憶部、前記アクティブ系空調機器の現在の動作に関する前記第１の動作情報が入力される入力部、および、前記入力部に入力された前記第１の動作情報および前記パッシブ系空調機器の現在の動作に関する前記第２の動作情報の組み合わせに対応付けられて前記記憶部に記憶されている前記制御内容に従って前記パッシブ系空調機器を制御する機器制御部として機能させ、前記記憶部は、前記第１の動作情報が前記アクティブ系空調機器の動作開始であり、前記第２の動作情報が前記パッシブ系空調機器の動作中である場合に、前記制御内容として、空調対象空間の室温と当該空調対象空間外の外気温との温度差の絶対値が第１のしきい値以下であるときに、前記パッシブ系空調機器の動作を停止させる制御を記憶しているプログラムである。
本発明のプログラムは、コンピュータを、アクティブ系空調機器の動作に関する第１の動作情報およびパッシブ系空調機器の動作に関する第２の動作情報の組み合わせと前記パッシブ系空調機器の制御内容とを対応付けて記憶する記憶部、前記アクティブ系空調機器の現在の動作に関する前記第１の動作情報が入力される入力部、および、前記入力部に入力された前記第１の動作情報および前記パッシブ系空調機器の現在の動作に関する前記第２の動作情報の組み合わせに対応付けられて前記記憶部に記憶されている前記制御内容に従って前記パッシブ系空調機器を制御する機器制御部として機能させ、前記記憶部は、前記第１の動作情報が前記アクティブ系空調機器の動作中であり、前記第２の動作情報が前記パッシブ系空調機器の動作停止中である場合に、前記制御内容として、前記パッシブ系空調機器の動作開始要求が行われた際、前記アクティブ系空調機器が動作を停止した後に、前記パッシブ系空調機器の動作を開始させる制御を記憶しているプログラムである。
本発明のプログラムは、コンピュータを、アクティブ系空調機器の動作に関する第１の動作情報およびパッシブ系空調機器の動作に関する第２の動作情報の組み合わせと前記パッシブ系空調機器の制御内容とを対応付けて記憶する記憶部、前記アクティブ系空調機器の現在の動作に関する前記第１の動作情報が入力される入力部、および、前記入力部に入力された前記第１の動作情報および前記パッシブ系空調機器の現在の動作に関する前記第２の動作情報の組み合わせに対応付けられて前記記憶部に記憶されている前記制御内容に従って前記パッシブ系空調機器を制御する機器制御部として機能させ、前記記憶部は、前記第１の動作情報が前記アクティブ系空調機器の動作停止であり、前記第２の動作情報が前記パッシブ系空調機器の動作停止中である場合に、前記制御内容として、前記アクティブ系空調機器が動作停止直前に冷房運転を行っていた場合には、空調対象空間の室温から当該空調対象空間外の外気温を引いた値が第２のしきい値以上であるときに、前記パッシブ系空調機器の動作を開始させ、前記アクティブ系空調機器が動作停止直前に暖房運転を行っていた場合には、前記空調対象空間外の外気温から前記空調対象空間の室温を引いた値が前記第２のしきい値以上であるときに、前記パッシブ系空調機器の動作を開始させる制御を記憶しているプログラムである。
【発明の効果】
【００１３】
本発明の機器制御装置、空調設備およびプログラムによれば、パッシブ系空調機器の動作をアクティブ系空調機器の動作と連携させることができるので、空調制御において電力消費の無駄を低減させることができ、省エネルギー化を図ることができる。
【図面の簡単な説明】
【００１４】
【図１】実施形態に係る機器制御システムの構成を示すシステム構成図である。
【図２】実施形態に係る機器制御装置の構成を示すブロック図である。
【図３】実施形態に係る制御内容決定表を示す図である。
【図４】実施形態に係るコントローラの動作を示すフローチャートである。
【図５】実施形態に係る機器制御装置の動作を示すフローチャートである。
【図６】実施形態に係る機器制御装置の動作を示すフローチャートである。
【図７】実施形態に係る機器制御装置の動作を示すフローチャートである。
【図８】実施形態に係る機器制御装置の動作を示すフローチャートである。
【図９】実施形態に係る機器制御装置の動作を示すフローチャートである。
【発明を実施するための形態】
【００１５】
本実施形態に係る機器制御システム１は、図１に示すように、アクティブ系空調機器２と、パッシブ系空調機器３と、コントローラ４と、機器制御装置５とを備えている。機器制御装置５とパッシブ系空調機器３とでパッシブ系の空調設備６を構成する。
【００１６】
アクティブ系空調機器２およびパッシブ系空調機器３は、いずれも空調対象空間（図示せず）の空気を冷やしたり、暖めたりすることを主目的とする機器であるが、機能について以下の点で異なっている。
【００１７】
まず、アクティブ系空調機器２は、例えばヒートポンプを利用したエアコンなどであり、エネルギーを消費して低温の空気から高温の空気へ熱を移動させる機能によって空調対象空間の温熱環境を変動させる機器である。アクティブ系空調機器２は、目標温度を設定する機能を有し、空調対象空間の温度が目標温度（設定温度）になるように空調対象空間の空気を冷やしたり、暖めたりすることができる。
【００１８】
一方、パッシブ系空調機器３は、例えば外気取り入れファン（床下ファン）などであり、異なる空間の温度差を利用して熱を移動させることによって空調対象空間の温熱環境を変動させる機器である。パッシブ系空調機器３は、目標温度を設定する機能を有しておらず、空調対象空間外から空調対象空間へ冷気を取り入れたり、暖気を取り入れたりする。これにより、空調対象空間の空気を冷やしたり、暖めたりすることができる。
【００１９】
本実施形態の機器制御システム１は、機器制御装置５において、後述の制御内容決定表７（図３参照）を参照し、アクティブ系空調機器２の現在の動作状態とパッシブ系空調機器３の現在の動作状態との組み合わせからパッシブ系空調機器３の制御内容を決定する。以下、機器制御システム１が戸建住宅（図示せず）に用いられる場合について説明するが、機器制御システム１は、戸建住宅に用いられる場合に限らず、集合住宅やオフィスなど他の建物に用いられてもよい。
【００２０】
まず、機器制御システム１が設置される戸建住宅について説明する。この戸建住宅には、屋外から床下へ給気するための給気口と、床下から居住空間（空調対象空間）へ給気するための給気口とが形成されている。居住空間は、例えば部屋・通路・階段などである。なお、戸建住宅には、居住空間から屋外へ排気するための排気口がさらに形成されていてもよい。
【００２１】
アクティブ系空調機器２は、戸建住宅の居住空間に設置されており、コントローラ４の指示またはリモコン２１の操作によって、居住空間の空気を冷やしたり、暖めたりする。このアクティブ系空調機器２は、自己の動作状態の変化が発生するごとに、自己の動作状態の変化情報をコントローラ４に送信する。動作状態の変化としては、オフからオンへの状態変化やオンからオフへの状態変化、または、設定温度の変化などがある。なお、リモコン２１は、アクティブ系空調機器２の付属機器として設けられている。このリモコン２１は、例えば複数の操作ボタンなどの操作手段を有し、ユーザの操作によってアクティブ系空調機器２の設定温度が入力され、ユーザの操作に応じた設定内容を含む制御信号を赤外線信号でアクティブ系空調機器２へ送信する。
【００２２】
パッシブ系空調機器３は、戸建住宅の床下などに設置されており、機器制御装置５の制御（ユーザの操作、自動運転）に従って動作を開始したり停止したりする。パッシブ系空調機器３により、屋外の空気を床下に取り込み、さらに床下の空気を居住空間に取り入れることができる。夏には、屋外から床下に取り込まれた暖気が床下で冷やされ、冷気が居住空間に取り入れられる。例えば外気温が３２℃、床下が２３℃である場合、屋外で３２℃の空気が床下で２７℃程度に冷やされた状態で居住空間に取り入れられる。一方、冬には、屋外から床下に取り込まれた冷気が床下で暖められ、暖気が居住空間に取り入れられる。例えば外気温が０℃、床下が１２℃である場合、屋外で０℃の空気が床下で１４℃程度に暖められた状態で居住空間に取り入れられる。
【００２３】
コントローラ４は、ＣＰＵ（Central Processing Unit：中央処理装置）およびメモリが搭載されたコンピュータ（マイクロコンピュータを含む）を主構成要素とし、アクティブ系空調機器２と、機器制御装置５とが接続されている。さらに、コントローラ４には、戸建住宅で使用される複数の電気機器（図示せず）が接続されている。電気機器としては、例えば、太陽光発電設備や蓄電装置などの電源設備、テレビや冷蔵庫などの家電機器がある。
【００２４】
コントローラ４は、アクティブ系空調機器２と空調設備６（パッシブ系空調機器３、機器制御装置５）と複数の電気機器とでＨＥＭＳ（Home Energy Management System）ネットワークを構築し、アクティブ系空調機器２・空調設備６・複数の電気機器のそれぞれとの間で種々の情報を授受することができる。例えば、コントローラ４は、アクティブ系空調機器２の動作状態を表わす状態信号をアクティブ系空調機器２から受け取り、この状態信号を機器制御装置５に送信する。
【００２５】
機器制御装置５は、アクティブ系空調機器２およびパッシブ系空調機器３とともに用いられている状態で、パッシブ系空調機器３を制御する装置である。機器制御装置５は、コントローラ４が取得したアクティブ系空調機器２の状態を、状態そのもの、もしくは状態変化として受け止めて、後述の制御内容決定表７（図３参照）に従い、動作を決定する。この機器制御装置５は、図２に示すように、記憶部５１と、通信部５２と、機器制御部５３と、床下温度センサ５４と、室内温度センサ５５と、センサインタフェース部５６と、表示操作部５７と、主制御部５８とを備えている。機器制御装置５は、ＣＰＵおよびメモリが搭載されたコンピュータを主構成要素とする。
【００２６】
主制御部５８は、コンピュータのＣＰＵを主構成要素とし、機器制御装置５の各種の機能を実行する。特に、主制御部５８は、機器制御部５３に指示を与えてパッシブ系空調機器３の動作を制御させる。
【００２７】
床下温度センサ５４は、床下に設置されており、外気温として床下温度を計測する。室内温度センサ５５は、空調対象空間に設置されており、空調対象空間の室内温度（室温）を計測する。センサインタフェース部５６には、床下温度センサ５４と室内温度センサ５５とが接続されている。センサインタフェース部５６は、床下温度センサ５４で計測された床下温度（外気温）を床下温度信号として床下温度センサ５４から取得し、室内温度センサ５５で計測された室内温度を室温信号として室内温度センサ５５から取得する。
【００２８】
表示操作部５７は、表示手段と操作手段とを備え、主制御部５８の指示に従って、種々の情報を表示する。図１に示すように、表示操作部５７は、センサインタフェース部５６で取得された床下温度を表示する表示部５７１と、センサインタフェース部５６で取得された室内温度を表示する表示部５７２とを備えている。また、表示操作部５７は、パッシブ系空調機器３が自動運転であるか否かを表示する表示部５７３と、パッシブ系空調機器３の現在の運転状況を表示する表示部５７４とを備えている。
【００２９】
記憶部５１は、種々のメモリで構成されており、各種の情報を記憶している。例えば、記憶部５１は、図３に示す制御内容決定表７を記憶している。
【００３０】
制御内容決定表７では、第１の動作情報（図３の「アクティブ系空調機器の状態」）および第２の動作情報（図３の「パッシブ系空調機器の状態」）の組み合わせとパッシブ系空調機器３の制御内容（図３の「動作１」〜「動作８」）とが対応付けられている。第１の動作情報は、アクティブ系空調機器２の動作に関する情報である。アクティブ系空調機器２の動作状態としては、オフ状態と、オフからオンへの状態変化と、オン状態と、オンからオフへの状態変化とがある。第２の動作情報は、パッシブ系空調機器３の動作に関する情報である。パッシブ系空調機器３の動作状態としては、オフ状態と、オン状態とがある。
【００３１】
図３に示す制御内容決定表７の「動作１」〜「動作８」は、パッシブ系空調機器３の制御内容を示す。「動作１」〜「動作８」は、すべて異なる制御内容であってもよいし、一部同じ制御内容であってもよい。「動作１」〜「動作８」を設定することによって、システム全体として所望の動作を行うことができる。なお、必要に応じて「動作１」〜「動作８」のそれぞれを書き換えることができる。
【００３２】
通信部５２は、コントローラ４と通信する機能を有しており、アクティブ系空調機器２の現在の動作に関する第１の動作情報がコントローラ４から入力される。
【００３３】
機器制御部５３は、記憶部５１に記憶されている制御内容決定表７を参照し、通信部５２に入力された第１の動作情報およびパッシブ系空調機器３の現在の動作に関する第２の動作情報の組み合わせに対応付けられている制御内容を抽出する。制御内容を抽出した機器制御部５３は、抽出した制御内容に従ってパッシブ系空調機器３を制御する。
【００３４】
次に、本実施形態に係る機器制御システム１におけるコントローラ４の動作について図４を用いて説明する。コントローラ４は、アクティブ系空調機器２の運転状態を監視している（Ｓ１）。アクティブ系空調機器２の運転状態を表わす状態信号を機器制御装置５に出力する（Ｓ２）。
【００３５】
続いて、機器制御装置５の動作について図５を用いて説明する。まず、機器制御装置５は、アクティブ系空調機器２の状態信号をコントローラ４から受信する（Ｓ１１）。パッシブ系空調機器３がオン状態であるかオフ状態であるかを判断する（Ｓ１２）。パッシブ系空調機器３がオン状態である場合、機器制御装置５は、制御内容決定表７を参照し、パッシブ系空調機器３がオン状態であってアクティブ系空調機器２の動作状態から、パッシブ系空調機器３の制御内容を決定する（Ｓ１３）。パッシブ系空調機器３がオフ状態である場合、機器制御装置５は、制御内容決定表７を参照し、パッシブ系空調機器３がオフ状態であってアクティブ系空調機器２の動作状態から、パッシブ系空調機器３の制御内容を決定する（Ｓ１４）。
【００３６】
ところで、パッシブ系空調機器３が動作しているときにアクティブ系空調機器２が動作を開始した場合、機器制御部５３は、パッシブ系空調機器３の運転を停止させることが好ましい。すなわち、機器制御部５３は、アクティブ系空調機器２が動作を開始した際にパッシブ系空調機器３がオン状態であると判断した場合、パッシブ系空調機器３をオンからオフにする。図３に示す制御内容決定表７では、「動作２」が「オフ」となる。
【００３７】
また、上記の場合、機器制御部５３は、直ちにパッシブ系空調機器３の運転を停止させるのではなく、空調対象空間の室温と空調対象空間外の外気温との温度差の絶対値が第１のしきい値以下であるときに、パッシブ系空調機器３の動作を停止させてもよい。以下、このときの動作について、図６，７を用いて説明する。
【００３８】
まず、図６において、アクティブ系空調機器２がオフからオンに切り替わった際に、機器制御部５３は、制御内容決定表７の「動作２」において、自動停止温度パラメータを初期値Ｔ１（例えば１℃）からＴ２（例えば２℃）へ変更する（Ｓ２１）。
【００３９】
これ以降、機器制御部５３は、制御内容決定表７の「動作３」（アクティブ系空調機器２がオン、パッシブ系空調機器３がオン）の制御内容に従ってパッシブ系空調機器３を制御する。自動停止温度パラメータがＴ１からＴ２へ変更されているので（図６参照）、図７に示すように、アクティブ系空調機器２がオフからオンになった時点の室内温度（室温）と床下温度（外気温）との温度差の絶対値が自動停止温度パラメータＴ２以上（例えば３℃）であれば（Ｓ３１の「ＹＥＳ」）、機器制御部５３はパッシブ系空調機器３の動作（オン状態）を継続させる（Ｓ３２）。一方、上記温度差の絶対値が自動停止温度パラメータＴ２未満（例えば１．５℃）である場合（Ｓ３１の「ＮＯ」）、機器制御部５３はパッシブ系空調機器３を動作停止（オフ）にする（Ｓ３３）。通常、温度差が１℃以上あれば、パッシブ系空調機器３は動作を継続するのに対して、温度差が２℃以下になったら、パッシブ系空調機器３は動作を停止する。
【００４０】
さらに、図２に示す機器制御部５３は、アクティブ系空調機器２が動作中であるときにパッシブ系空調機器３の動作開始を決定した場合、アクティブ系空調機器２が動作を停止した後に、パッシブ系空調機器３の動作を開始させることが好ましい。すなわち、アクティブ系空調機器２が動作している間に手動あるいは自動運転によりパッシブ系空調機器３の動作開始を決定した場合、機器制御部５３は、パッシブ系空調機器３のオン動作を規制し、パッシブ系空調機器３の運転を停止させたままにする。
【００４１】
なお、上記の場合に、アクティブ系空調機器２が動作を停止する前に、パッシブ系空調機器３の動作を開始させると、室内温度（室温）と床下温度（外気温）との温度差の絶対値が自動停止温度パラメータＴ２未満になるまで、パッシブ系空調機器３は動作（オン状態）を維持することになる。したがって、このことをユーザに通知するために、例えば「エアコンがオンしていますので、ファン運転をやめませんか？」というような音声ガイダンスを流す。この場合、音声ガイダンスを報知した後、ユーザは、再度、パッシブ系空調機器３の運転釦を押下することで音声ガイダンスの報知を実施し、何も操作しないか停止釦を押下することで動作を開始しないようにすることができる。
【００４２】
また、アクティブ系空調機器２が動作を停止した場合、機器制御部５３は、空調対象空間の室温と空調対象空間外の外気温との温度差の絶対値が第２のしきい値以上になった後に、パッシブ系空調機器３の動作を開始させることが好ましい。
【００４３】
まず、図８において、アクティブ系空調機器２がオンからオフに切り替わった際に、機器制御部５３は、制御内容決定表７の「動作８」において、自動停止温度パラメータをＴ２からＴ１へ変更する（Ｓ４１）。この場合、制御内容決定表７の「動作５」の制御内容は、室内温度（室温）と床下温度（外気温）との温度差の絶対値に応じてパッシブ系空調機器３の運転を自動的に開始させることになる。温度差を考慮して運転を開始することができる。したがって、室内温度と床下温度との温度差の絶対値が自動停止温度パラメータＴ１以上であれば（Ｓ５１の「ＹＥＳ」）、機器制御部５３はパッシブ系空調機器３をオンにする（Ｓ５２）。一方、上記温度差の絶対値が自動停止温度パラメータＴ１未満である場合（Ｓ５１の「ＮＯ」）、パッシブ系空調機器３はオフ状態のままである（Ｓ５３）。
【００４４】
なお、制御内容決定表７の「動作６」の制御内容としては、自動停止温度パラメータをＴ１からＴ２にし、「動作７」の制御内容としては、パッシブ系空調機器３の動作停止中（オフ）を継続させることが好ましい。
【００４５】
ところで、記憶部５１は、機器制御装置（コンピュータ）５が各種の機能を実行するためのプログラムを格納している。すなわち、記憶部５１は、機器制御装置５を記憶部５１、通信部５２、機器制御部５３、床下温度センサ５４、室内温度センサ５５、センサインタフェース部５６、表示操作部５７および主制御部５８として機能させるためのプログラムを格納している。上記プログラムは、機器制御装置５の出荷時に記憶部５１に予め格納されている。ただし、機器制御装置５が上記プログラムを出荷後に取得する場合、機器制御装置５が上記プログラムを取得する手法の一例としては、上記プログラムを記録したコンピュータ読み取り可能な記録媒体を用いる手法がある。記録媒体を用いる手法の場合、機器制御装置５は、記録媒体のデータを読み取るための読取装置（図示せず）を備えていればよい。記録媒体としては、例えば光ディスク（ＣＤ−ＲＯＭ、ＤＶＤ−ＲＯＭ）やメモリカードなどがある。読取装置としては、光ディスクの情報を読み出すドライブ装置や、メモリカードの情報を読み出すメモリカードリーダなどがある。また、機器制御装置５が上記プログラムを取得する他の手法としては、ネットワークを用いて上記プログラムを他の装置（例えばサーバ）からダウンロードする手法がある。上記プログラムをダウンロードする手法の場合、機器制御装置５は、ネットワークを用いて他の装置と通信するための通信機能（図示せず）を有していればよい。
【００４６】
以上説明した本実施形態の機器制御システム１では、機器制御装置５の機器制御部５３において、アクティブ系空調機器２の現在の動作情報およびパッシブ系空調機器３の現在の動作情報に対応付けられた制御内容に従ってパッシブ系空調機器３の動作を制御する。これにより、パッシブ系空調機器３の動作をアクティブ系空調機器２の動作に連携させることができるので、空調制御において電力消費の無駄を低減させることができ、省エネルギー化を図ることができる。
【００４７】
また、本実施形態の機器制御システム１では、パッシブ系空調機器３が動作しているときにアクティブ系空調機器２が動作を開始した場合、機器制御部５３がパッシブ系空調機器３を停止させる。これにより、アクティブ系空調機器２の動作の無駄をなくすことができる。
【００４８】
一方、パッシブ系空調機器３が動作しているときにアクティブ系空調機器２が動作を開始した場合、空調対象空間の室温と空調対象空間外の外気温との温度差が第１のしきい値以下であると、機器制御部５３がパッシブ系空調機器３の動作を停止させることもできる。これにより、パッシブ系空調機器３とアクティブ系空調機器２との併用が有効であるまで、パッシブ系空調機器３の動作停止のタイミングを延ばすことによって、アクティブ系空調機器２の運転効率を高めることができる。
【００４９】
また、本実施形態の機器制御システム１は、機器制御部５３において、アクティブ系空調機器２が動作中であるときにパッシブ系空調機器３の動作開始を決定した場合、アクティブ系空調機器２が動作を停止した後に、パッシブ系空調機器３の動作を開始させる。これにより、パッシブ系空調機器３の動作開始によるアクティブ系空調機器２の動作の無駄を省くことができる。
【００５０】
さらに、本実施形態の機器制御システム１では、アクティブ系空調機器２が動作を停止した際に、室温と外気温との温度差が第２のしきい値以上であると、機器制御部５３がパッシブ系空調機器３の動作を開始させる。これにより、宅内環境の著しい悪化を緩和することができる。特にデマンド制御等による使用電力削減によって強制的に消費電力の高いアクティブ系空調機器２の動作を余儀なく停止された場合に有効である。
【００５１】
なお、本実施形態においてコントローラ４を介してアクティブ系空調機器２の動作状態を機器制御装置５へ伝える形にしているのは、コントローラ４への他の電気機器の接続を配慮したためである。アクティブ系空調機器２と機器制御装置５とが直接接続されていても問題はない。
【００５２】
また、本実施形態では、屋外からの空気を床下に取り込む場合について説明したが、屋外からの空気を天井裏に取り込み、天井裏から居住空間に取り入れるようにしてもよい。特に暖房運転の場合に効果的である。
【００５３】
さらに、機器制御装置５は、パッシブ系空調機器３と別体に設けられていてもよいし、一体に設けられていてもよい。
【符号の説明】
【００５４】
１  機器制御システム
２  アクティブ系空調機器
３  パッシブ系空調機器
５  機器制御装置
５１  記憶部
５２  通信部（入力部）
５３  機器制御部
６  空調設備
７  制御内容決定表
【図１】
0006029046.tif 000002
【図２】
0006029046.tif 000003
【図３】
0006029046.tif 000004
【図４】
0006029046.tif 000005
【図５】
0006029046.tif 000006
【図６】
0006029046.tif 000007
【図７】
0006029046.tif 000008
【図８】
0006029046.tif 000009
【図９】
0006029046.tif 000010